(57)【要約】【課題】設置場所にかかわらず浄水を使用箇所に供給することができる技術を提供する。【解決手段】浄水供給装置は、原水を貯める原水容器であって交換可能な原水容器と、原水容器内の原水をくみ上げるポンプと、ポンプによってくみ上げられた原水を処理するフィルタモジュールであって、原水を透過させることによって浄水を生成する逆浸透膜を有するフィルタモジュールと、逆浸透膜を透過して得られた浄水を使用箇所に供給する浄水供給路とを備える。【選択図】図２
2018065584.tif 000002
【特許請求の範囲】
【請求項１】
原水を貯める原水容器であって交換可能な前記原水容器と、
前記原水容器内の前記原水をくみ上げるポンプと、
前記ポンプによってくみ上げられた前記原水を処理するフィルタモジュールであって、前記原水を透過させることによって浄水を生成する逆浸透膜を有する前記フィルタモジュールと、
前記逆浸透膜を透過して得られた前記浄水を使用箇所に供給する浄水供給路と、
を備える、浄水供給装置。
【請求項２】
前記逆浸透膜を透過しない非浄化水を前記原水容器に戻す排水路と、
第１の運転を実行する制御部と、をさらに備え、
前記第１の運転は、前記ポンプが運転している間に、
（ｉ）前記原水容器からくみ上げられて前記フィルタモジュールに供給される前記原水の水圧が、第１の閾値圧を下回ることと、
（ｉｉ）前記原水容器からくみ上げられて前記フィルタモジュールに供給される前記原水の不純物濃度が、第１の閾値濃度を上回ることと、
のうちの少なくとも一方が成立する場合に、前記ポンプを停止させることを含む、
請求項１に記載の浄水供給装置。
【請求項３】
前記制御部は、さらに、前記ポンプが停止する場合に前記第１の運転を終了し、前記第１の運転の終了後に所定のリセット指示が入力される場合に、前記ポンプを運転させる第２の運転を開始し、
前記制御部は、さらに、前記第２の運転が実行されている間に、
（ａ）前記原水容器からくみ上げられて前記フィルタモジュールに供給される前記原水の水圧が、前記第１の閾値圧より高い前記第２の閾値圧を上回ることと、
（ｂ）前記原水容器からくみ上げられて前記フィルタモジュールに供給される前記原水の不純物濃度が、前記第１の閾値濃度より低い第２の閾値濃度を下回ることと、
のうちの少なくとも一方が成立する場合に、前記第２の運転を終了して前記第１の運転を実行する、
請求項２に記載の浄水供給装置。
【発明の詳細な説明】
【技術分野】
【０００１】
本明細書で開示する技術は、浄水を使用箇所に供給する浄水供給装置に関する。
【背景技術】
【０００２】
特許文献１には、水道管に接続されて使用される浄水供給装置が開示されている。この浄水供給装置は、水道管から供給される原水（即ち水道水）を処理するフィルタモジュールを備える。フィルタモジュールは、原水を透過させるための逆浸透膜を有する。逆浸透膜を透過して得られた浄水は、浄水供給路を介して使用箇所に供給される。
【先行技術文献】
【特許文献】
【０００３】
【特許文献１】特開２０１０−６４０３２号公報
【発明の概要】
【発明が解決しようとする課題】
【０００４】
特許文献１の浄水供給装置は、水道管に接続される必要がある。そのため、特許文献１の浄水供給装置は、水道管と接続する配管を配置可能な場所（例えば、水道管の近傍であって、配管を引き廻す空間が周囲に存在する場所）に設置される必要がある。本明細書では、設置場所にかかわらず浄水を使用箇所に供給することができる技術を提供する。
【課題を解決するための手段】
【０００５】
本明細書が開示する浄水供給装置は、原水を貯める原水容器であって交換可能な原水容器と、原水容器内の原水をくみ上げるポンプと、ポンプによってくみ上げられた原水を処理するフィルタモジュールであって、原水を透過させることによって浄水を生成する逆浸透膜を有するフィルタモジュールと、逆浸透膜を透過して得られた浄水を使用箇所に供給する浄水供給路とを備える。
【０００６】
上記の構成による浄水供給装置は、交換可能な原水容器内に貯められている原水を、フィルタモジュールの逆浸透膜を透過させ、得られた浄水を使用箇所に供給することができる。そのため、上記の浄水供給装置は、原水の確保のために水道管等に直接接続されている必要がない。また、原水容器が交換可能であるため、水道管等と接続するための配管を配置可能な場所に設置される必要もない。従って、上記の浄水供給装置は、設置場所にかかわらず浄水を使用箇所に供給することができる。
【０００７】
浄水供給装置は、逆浸透膜を透過しない非浄化水を原水容器に戻す排水路と、第１の運転を実行する制御部とをさらに備えてもよい。第１の運転は、ポンプが運転している間に、（ｉ）原水容器からくみ上げられてフィルタモジュールに供給される原水の水圧が、第１の閾値圧を下回ることと、（ｉｉ）原水容器からくみ上げられてフィルタモジュールに供給される原水の不純物濃度が、第１の閾値濃度を上回ることと、のうちの少なくとも一方が成立する場合に、ポンプを停止させることを含んでもよい。
【０００８】
原水容器からくみ上げられてフィルタモジュールに供給される原水の不純物濃度が第１の閾値濃度を上回る場合（上記（ｉｉ）参照）には、その原水はフィルタモジュールでの処理に適さない原水である可能性が高くなる。具体的には、原水の不純物濃度が第１の閾値濃度を上回ると、逆浸透膜の目詰まり等（即ち消耗）が起こり易くなる可能性が高くなる。同様に、原水容器からくみ上げられてフィルタモジュールに供給される原水の水圧が第１の閾値圧を下回る場合（上記（ｉ）参照）には、原水容器内の原水の貯水量が所定量を下回るとともに、排水路から原水容器内に戻される非浄化水の割合が増え、原水容器内の原水の不純物濃度が高くなっている可能性が高い。そのような原水も、フィルタモジュールでの処理に適さない原水である可能性が高い。そのため、上記の構成によると、処理に適さない原水がフィルタモジュールに供給される可能性が高い場合に、フィルタモジュールへの原水の供給を停止することができる。従って、上記の構成によると、フィルタモジュールの消耗を抑制することができる。
【０００９】
ここで、「原水の水圧が、第１の閾値圧を下回ること」は、原水の水圧が第１の閾値圧と等しい場合を含んでもよい。同様に、「原水の不純物濃度が、第１の閾値濃度を上回ること」は、原水の不純物濃度が第１の閾値濃度と等しい場合を含んでもよい。
【００１０】
制御部は、さらに、ポンプが停止する場合に第１の運転を終了し、第１の運転の終了後に所定のリセット指示が入力される場合に、ポンプを運転させる第２の運転を開始してもよい。制御部は、さらに、前記第２の運転が実行されている間に、（ａ）原水容器からくみ上げられてフィルタモジュールに供給される原水の水圧が、第１の閾値圧より高い第２の閾値圧を上回ることと、（ｂ）原水容器からくみ上げられてフィルタモジュールに供給される原水の不純物濃度が、第１の閾値濃度より低い第２の閾値濃度を下回ることと、のうちの少なくとも一方が成立する場合に、前記第２の運転を終了して前記第１の運転を実行してもよい。
【００１１】
この構成によると、第２の運転が開始された時点で、原水容器が、第２の閾値濃度を下回る不純物濃度の原水が所定量以上貯められたものに交換されていれば、ポンプの運転を一定期間継続することで、上記の（ａ）（ｂ）のうちの少なくとも一方が成立する。その場合には、処理に適した原水が適切にフィルタモジュールに供給され得る。上記の構成によると、フィルタモジュールに、処理に適した原水を適切に供給し得る。
【００１２】
ここで、「原水の水圧が、第２の閾値圧を上回ること」は、原水の水圧が第２の閾値圧と等しい場合を含んでもよい。同様に、「原水の不純物濃度が、第２の閾値濃度を下回ること」は、原水の不純物濃度が第２の閾値濃度と等しい場合を含んでもよい。
【図面の簡単な説明】
【００１３】
【図１】第１実施例の浄水供給装置の外観を示す正面図。
【図２】浄水供給装置の構成を示す側面説明図。
【図３】制御部が実行する通常運転処理の内容を示すフローチャート。
【図４】制御部が実行する初期運転処理の内容を示すフローチャート。
【図５】第４実施例の浄水供給装置の構成を示す側面説明図。
【発明を実施するための形態】
【００１４】
（第１実施例）
図１に本実施例の浄水供給装置２を示す。この浄水供給装置２は、原水容器１０内の原水をフィルタモジュール３０によって処理し、処理によって得られた浄水を使用箇所に供給するウォーターディスペンサーである。本実施例では、浄水供給装置２は、図示しない商用電源と電気的に接続されて用いられる。浄水供給装置２は、本体４と、容器収容部６とを備える。本体４は、容器収容部６の上方に積層されている。図１に示すように、本体４の表面には、ＬＥＤランプ１２、リセットボタン１４、冷水蛇口１６及び温水蛇口１８が備えられている。ＬＥＤランプ１２は、後述のように、原水容器１０の交換が必要であることをユーザに報知するために点灯するランプである。リセットボタン１４は、後述の初期運転処理（図４参照）においてユーザによって操作されるボタンである。冷水蛇口１６及び温水蛇口１８は、それぞれ、浄水供給装置２によって処理された後の浄水（冷水又は温水）を取り出すための蛇口である。容器収容部６は、手前側に前扉８を備えている。前扉８は、手前側に引き出し可能である。容器収容部６内には交換可能な原水容器１０が収容されている。
【００１５】
図２に示すように、容器収容部６の前扉８を手前側（図２の左側）に引き出すと、前扉８とともに、容器収容部６内に収容されている原水容器１０が外側に引き出される。この状態で原水容器１０を取り出し、別の原水容器１０に交換することができる。原水容器１０は、容器収容部６内に配置される交換可能な容器であって、内部に原水が貯められる容器である。本実施例では、原水容器１０には水道水が充填されている。他の例では、原水容器１０には、例えば河川や湖の水等、製品水（例えばミネラルウォーター）ではない任意の種類の水が充填されていてもよい。また他の例では、原水容器１０には、製品水が充填されていてもよい。原水容器１０内には、後で説明する原水供給管２６の上流端と、排水管５０の下流端とが挿入されている。上記の通り、本実施例では容器収容部６は本体４の下方に設置されているため、ユーザは、原水容器１０の交換の際に重い原水容器１０を本体４の上部まで持ち上げる必要がない。
【００１６】
図２に示すように、本体４内には、ポンプ２０、低圧スイッチ２２、原水供給管２６、フィルタモジュール３０、浄水供給管４０、排水管５０、浄水タンク６０、供給管６４、６６、冷水タンク７０、冷却装置７２、冷水供給管７６、温水タンク８０、加熱装置８２、温水供給管８４、及び、制御部９０が備えられている。なお、図２には濃度センサ２４が一点鎖線で図示されているが、濃度センサ２４については後述の第２、第３実施例で説明する。
【００１７】
原水供給管２６は、原水容器１０内の原水をフィルタモジュール３０に導入するための管路である。原水供給管２６の上流端は原水容器１０内に挿入されており、下流端は分岐してフィルタモジュール３０のうちの１本目の前処理モジュール３２に接続されている。原水供給管２６の一部は、本体４及び容器収容部６の外側に露出している。原水供給管２６には、ポンプ２０及び低圧スイッチ２２が介装されている。ポンプ２０は、原水容器１０内の原水をくみ上げてフィルタモジュール３０に導入するための動力源である。ポンプ２０は、原水容器１０内の原水を所定の水圧（例えば０．５ＭＰａ）でフィルタモジュール３０に導入する。低圧スイッチ２２は、原水供給管２６内を流れる原水の水圧を監視しており、水圧が所定の下限閾値圧より低い場合にＯＮされ、水圧が所定の上限閾値圧（例えば０．４ＭＰａ）より高いにＯＦＦされる。変形例では、低圧スイッチ２２は、水圧が下限閾値圧以下の場合にＯＮされ、上限閾値圧以上の場合にＯＦＦされてもよい。
【００１８】
フィルタモジュール３０は、原水を処理して浄水を生成するためのモジュールである。フィルタモジュール３０は、２本の前処理モジュール３２、３４と、１本の逆浸透膜モジュール３６とを有する。前処理モジュール３２、３４及び逆浸透膜モジュール３６はこの順で直列に接続されている。各モジュール３２〜３６は、円筒形のベッセル内部に図示しない処理機構を内蔵する構造を有する。本実施例では、１本目の前処理モジュール３２はデプスフィルタを内蔵しており、２本目の前処理モジュール３４は活性炭フィルタを内蔵しており、逆浸透膜モジュール３６は逆浸透膜を内蔵している。ここで、デプスフィルタ、活性炭フィルタ、及び、逆浸透膜は、いずれも、従来公知のものを用いることができる。特に逆浸透膜については、通常０．０００１μｍ又はそれ以下の細孔径を有するものを用いることができる。逆浸透膜は、原水に含有される不純物の分子を塩化ナトリウムイオンに置き換えることによって９８％以上の不純物を除去することが可能であり（即ち９８％以上の不純物除去率を有し）、原水を透過して得られる浄水にはこれらの分子量以上の不純物（例えば細菌・ウイルスを含む）は含まれない。一方、逆浸透膜を透過しなかった非浄化水には、これらの不純物が比較的高濃度に含まれる。
【００１９】
浄水供給管４０は、逆浸透膜モジュール３６を透過して得られた浄水を、浄水タンク６０に導入するための管路である。他の例では、浄水供給管４０には、脱臭フィルタ及びＵＶ殺菌灯フィルタが介装されていてもよい。浄水供給管４０の下流端は浄水タンク６０内に挿入されている。
【００２０】
排水管５０は、逆浸透膜モジュール３６の逆浸透膜を透過しなかった非浄化水を原水容器１０に導入する（戻す）ための管路である。排水管５０の上流端は逆浸透膜モジュール３６に接続されている。排水管５０の下流端は原水容器１０内に挿入されている。排水管５０の一部は、本体４及び容器収容部６の外側に露出している。
【００２１】
浄水タンク６０は、浄水供給管４０から供給された浄水を貯めるタンクである。浄水タンク６０内にはフロートスイッチ６２が設けられている。フロートスイッチ６２は、浄水タンク６０内の浄水の水量が上限値に達するとＯＮする。浄水タンク６０の底部には、浄水タンク６０内の浄水を冷水タンク７０に供給する供給管６４と、浄水タンク６０内の浄水を温水タンク８０に供給する供給管６６とが設けられている。
【００２２】
冷水タンク７０は、浄水タンク６０から供給管６４を介して供給された浄水を従来公知のヒートポンプ式の冷却装置７２によって冷却しながら所定の低温（例えば５℃）の冷水が貯められるタンクである。また、冷却装置７２をＯＦＦしておけば、冷水タンク７０に常温の浄水を貯めることもできる。冷水タンク７０には、冷水タンク７０内の冷水を冷水蛇口１６に供給するための冷水供給管７６が接続されている。これにより、冷水蛇口１６が開かれると、冷水タンク７０内の冷水が冷水供給管７６と冷水蛇口１６を介して外部に放出される。
【００２３】
温水タンク８０は、浄水タンク６０から供給管６６を介して供給された浄水を従来公知のシーズヒータを用いた加熱装置８２によって、所定の高温（例えば８５℃）の温水に加熱しながら貯めるタンクである。また、加熱装置８２をＯＦＦしておけば、温水タンク８０に常温の浄水を貯めることもできる。温水タンク８０には、温水タンク８０内の温水を温水蛇口１８に供給するための温水供給管８４が接続されている。これにより、温水蛇口１８が開かれると、温水タンク８０内の温水が温水供給管８４と温水蛇口１８を介して外部に放出される。
【００２４】
制御部９０は、ＬＥＤランプ１２、リセットボタン１４、ポンプ２０、低圧スイッチ２２、フロートスイッチ６２、冷却装置７２、加熱装置８２等、浄水供給装置２の各構成要素と電気的に接続されており、これらの動作を制御する。また、制御部９０は、後述の通常運転処理（図３参照）及び初期運転処理（図４参照）を実行する。
【００２５】
（通常運転処理；図３）
図３を参照して、制御部９０が実行する通常運転処理の内容を説明する。通常運転処理は、後述の初期運転処理（図４参照）が実行された後に自動的に開始される処理である。通常運転処理が開始される時点では、原水供給管２６内の水圧が例えば０．５ＭＰａ程度であり、低圧スイッチ２２がＯＦＦ状態に保たれている（即ち、原水供給管２６内に空気が混入していない状態である）。即ち、原水容器１０内に十分な量の原水が残存しており、原水供給管２６内の原水の不純物濃度も比較的低い状態に保たれている。
【００２６】
通常運転処理が開始されると、Ｓ１０において、制御部９０は、フロートスイッチ６２がＯＮされることを監視する。上記の通り、浄水タンク６０内の浄水の水量が上限値に達していない状態ではフロートスイッチ６２はＯＦＦ状態である。その場合、制御部９０は、Ｓ１０でＮＯと判断してＳ１２に進む。一方、浄水タンク６０内の浄水の水量が上限値に達するとフロートスイッチ６２がＯＮされる。その場合、制御部９０は、Ｓ１０でＹＥＳと判断してＳ１１に進む。Ｓ１１では、制御部９０は、この時点でポンプ２０が運転している場合には、ポンプ２０を停止させる。なお、制御部９０は、この時点でポンプ２０が既に停止している場合には、Ｓ１１でポンプ２０の停止状態を維持する。制御部９０は、Ｓ１１を終えるとＳ１０の監視に戻る。
【００２７】
Ｓ１２では、制御部９０は、ポンプ２０の運転を開始する。なお、この時点で既にポンプ２０が運転している場合には、制御部９０は、Ｓ１２でポンプ２０の運転を継続する。
【００２８】
続くＳ１４では、制御部９０は、低圧スイッチ２２がＯＮされることを監視する。原水容器１０内の原水の水量が所定量を上回っている場合には、原水容器１０から原水供給管２６に供給される原水には空気が混入せず、原水の水圧は、上限閾値圧（例えば０．４ＭＰａ）を上回る０．５ＭＰａ程度に保たれる。その間は、低圧スイッチ２２はＯＦＦされているため、制御部９０はＳ１４でＮＯと判断し、Ｓ１０の監視に戻る。一方、原水容器１０内の原水の水量が所定量を下回ると、原水容器１０内の原水の水量が減ったことに伴って、原水供給管２６内に空気が混入するようになる。その場合、原水供給管２６内の原水の水圧が低下し、下限閾値圧（例えば０．１ＭＰａ）を下回り、低圧スイッチ２２がＯＮされる。低圧スイッチ２２がＯＮされる場合は、原水容器１０内の原水の貯水量が所定量を下回るとともに、排水管５０から原水容器１０内に戻される非浄化水の割合が増え、原水容器１０内の原水の不純物濃度が高くなっている可能性が高い。そのような原水は、フィルタモジュール３０での処理に適さない原水である可能性が高い。そのため、低圧スイッチ２２がＯＮされる場合、制御部９０はＳ１４でＹＥＳと判断し、Ｓ１６に進む。
【００２９】
Ｓ１６では、制御部９０は、ポンプ２０を停止させる。即ち、本実施例では、処理に適さない原水がフィルタモジュール３０に供給される可能性が高い場合に、フィルタモジュール３０への原水の供給を停止することができる。フィルタモジュール３０の消耗（目詰まり等）を抑制することができる。同時に、Ｓ１６では、制御部９０は、ＬＥＤランプ１２を点灯させる。点灯した状態のＬＥＤランプ１２を見ることで、ユーザは、原水容器１０の交換が必要であることを知ることができる。Ｓ１６を終えると、制御部９０は、図３の通常運転処理を終了し、図４の初期運転処理を開始する。
【００３０】
（初期運転処理；図４）
図４を参照して、制御部９０が実行する初期運転処理の内容を説明する。上記の通り、初期運転処理は、通常運転処理（図３参照）が終了した後に行われる処理である。図４の初期運転処理が開始される時点では、原水供給管２６内に空気が混入し、原水供給管２６内の水圧が下限閾値圧を下回る結果、低圧スイッチ２２がＯＮされている状態である。
【００３１】
初期運転処理が開始されると、Ｓ２０において、制御部９０は、リセットボタン１４が操作されることを監視する。点灯したＬＥＤランプ１２を見ることで、原水容器１０の交換が必要であることを知ったユーザは、容器収容部６の前扉８を引出し、古い原水容器１０を取り出して、新しい原水容器１０（例えば、原水が満水の水量まで充填された原水容器）をセットする。その後、ユーザは、前扉８を閉じ、リセットボタン１４を操作する。その場合、制御部９０は、Ｓ２０でＹＥＳと判断し、Ｓ２２に進む。
【００３２】
Ｓ２２では、制御部９０は、ポンプ２０の運転を開始する。このポンプ２０の運転は、新しい原水容器１０がセットされる場合に毎回行われるべき初期運転であって、原水供給管２６内の水圧を、通常値である例えば０．５ＭＰａ程度まで再び引き上げるために行われる運転である。
【００３３】
Ｓ２４では、制御部９０は、Ｓ２２でポンプ２０の運転を開始してから所定期間（例えば３分間）が経過することを監視する。制御部９０は、所定期間が経過すると、Ｓ２４でＹＥＳと判断し、Ｓ２６に進む。
【００３４】
Ｓ２６では、制御部９０は、この時点で、低圧スイッチ２２がＯＦＦ状態に戻っているか否かを判断する。原水容器１０が新しいもの（原水が満水のもの）に交換された上で、Ｓ２２でポンプ２０の運転が開始されていれば、ポンプ２０を所定期間運転させることにより、原水供給管２６内に、空気が混入していない原水が新たに供給される。これに伴い、原水供給管２６内の水圧が再び上昇する。そして、原水供給管２６内の水圧が上限閾値圧を上回るまで上昇すると、低圧スイッチ２２がＯＮ状態からＯＦＦ状態に切り替わる。その場合、制御部９０は、Ｓ２６でＹＥＳと判断し、Ｓ２８に進む。一方、この時点で低圧スイッチ２２がＯＦＦ状態に戻っていない場合（例えば、原水容器１０が交換されないままリセットボタン１４が押された場合等）には、制御部９０は、Ｓ２６でＮＯと判断し、Ｓ２７に進み、ポンプ２０を停止させる。その後、Ｓ２０に戻り、リセットボタンが再操作されることを監視する。
【００３５】
Ｓ２８では、制御部９０は、ポンプ２０の運転を継続するとともに、ＬＥＤランプ１２を消灯する。Ｓ２８を終えると、制御部９０は、図４の初期運転処理を終了し、図３の通常運転処理を開始する。初期運転処理が終了すると、原水供給管２６内の水圧が、所定の上限閾値圧を上回った状態になるため、処理に適した原水が適切にフィルタモジュール３０に供給され得る。
【００３６】
以上、本実施例の浄水供給装置２の構造及び運転内容について説明した。上記の通り、本実施例の浄水供給装置２は、交換可能な原水容器１０内に貯められている原水を、フィルタモジュール３０の逆浸透膜モジュール３６を透過させ、得られた浄水を使用箇所に供給することができる装置である。そのため、本実施例の浄水供給装置２は、原水の確保のために水道管等に直接接続されている必要がない。また、原水容器１０が交換可能であるため、水道管等と接続するための配管を配置可能な場所に設置される必要もない。即ち、本実施例の浄水供給装置２は、水道管の近傍以外の場所でも使用することができる。従って、本実施例の浄水供給装置２は、電源を確保できる場所であれば、設置場所にかかわらず浄水を使用箇所に供給することができる。
【００３７】
また、本実施例の浄水供給装置２は、原水容器１０内の原水をフィルタモジュール３０によって処理し、処理によって得られた浄水を使用箇所に供給する。そのため、原水容器１０内の原水は、例えば、水道水や河川の水等、いわゆる製品水（例えば市販のミネラルウォーター等）である必要がない。そのため、原水容器１０内にどのような水を充填して使用する場合であっても、浄水を使用箇所に供給することが可能である。そのため、例えば非常時など、製品水を充填した容器を確保することが困難な状況においても、本実施例の浄水供給装置２によれば、水道水や河川の水等を原水容器１０に充填して用いることで、浄水を使用箇所に適切に供給することができる。
【００３８】
本実施例と請求項の記載の対応関係を説明しておく。浄水供給管４０、浄水タンク６０、供給管６４、６６、冷水タンク７０、冷水供給管７６、温水タンク８０、温水供給管８４が「浄水供給路」の一例である。冷水蛇口１６及び温水蛇口１８が「使用箇所」の一例である。排水管５０が「排水路」の一例である。下限閾値圧、上限閾値圧が、それぞれ「第１の閾値圧」、「第２の閾値圧」の一例である。図４のＳ２０でＹＥＳの場合が「所定のリセット指示が入力される特定の場合」の一例である。図３の通常運転処理で行われる運転、図４の初期運転処理で行われる運転が、それぞれ、「第１の運転」、「第２の運転」の一例である。
【００３９】
（第２実施例）
第１実施例と異なる点を中心に説明する。本実施例の浄水供給装置２も、第１実施例の浄水供給装置２と基本的に同様の構成を備える。ただし、本実施例では、原水供給管２６に、低圧スイッチ２２に代えて、濃度センサ２４（図２の一点鎖線部参照）が介装されている点が第１実施例とは異なる。濃度センサ２４は、原水供給管２６内を流れる原水の不純物濃度を検出するセンサである。濃度センサ２４も、制御部９０と電気的に接続されている。本実施例では、通常運転処理（図３参照）及び初期運転処理（図４参照）の内容の一部も、第１実施例とは異なる。
【００４０】
本実施例では、図３のＳ１４において、制御部９０が、濃度センサ２４が検出する原水の不純物濃度が、所定の上限閾値濃度を上回ることを監視する点が第１実施例とは異なる。上記の通り、フィルタモジュール３０の逆浸透膜モジュール３６を透過して得られた浄水が浄水供給管４０から浄水タンク６０へと供給される一方、逆浸透膜モジュール３６を透過しなかった非浄化水は排水管５０から原水容器１０に戻される。非浄化水の不純物濃度は、透過前の原水よりも高い。そのため、原水容器１０の交換後にポンプ２０の運転を続けるほど、原水容器１０内の不純物濃度は高くなっていく。そして、原水容器１０からくみ上げられてフィルタモジュール３０に供給される原水の不純物濃度が上限閾値濃度を上回る場合には、その原水はフィルタモジュール３０での処理に適さない原水である可能性が高くなる。制御部９０は、濃度センサが検出する原水の不純物濃度が、所定の上限閾値濃度を上回る場合に、Ｓ１４でＹＥＳと判断し、Ｓ１６でポンプ２０を停止させる。これにより、本実施例でも、第１実施例と同様に、処理に適さない原水がフィルタモジュール３０に供給されることを停止し、フィルタモジュール３０の消耗（目詰まり等）を抑制することができる。
【００４１】
また、本実施例では、図４のＳ２６において、制御部９０が、濃度センサ２４が検出する原水の不純物濃度が、所定の下限閾値濃度を下回ったか否かを判断する点が第１実施例とは異なる。原水容器１０が新しいもの（即ち、不純物濃度の低い原水が貯められた原水容器１０）に交換された上で、Ｓ２２でポンプ２０の運転が開始されていれば、ポンプ２０を所定期間運転させることにより、原水供給管２６内に不純物濃度の低い原水が新たに供給される。この結果、原水供給管２６内に供給される原水の不純物濃度が下限閾値濃度を下回れば、その原水はフィルタモジュール３０での処理に適していると言える。その場合、制御部９０は、Ｓ２６でＹＥＳと判断し、Ｓ２８に進んでポンプ２０を継続するとともに、ＬＥＤランプ１２を消灯する（即ち、図３の通常運転処理に移行する）。第１実施例と同様に、図４の初期運転処理が終了することで、処理に適した原水が適切にフィルタモジュール３０に供給されるようになる。なお、変形例では、図３のＳ１４で、制御部９０は、不純物濃度が上限閾値濃度以上になることを監視してもよい。同様に、図４のＳ２６では、制御部９０は、不純物濃度が下限閾値濃度以下になったか否かを判断してもよい。本実施例の上限閾値濃度、下限閾値圧が、それぞれ、請求項の「第１の閾値濃度」、「第２の閾値濃度」の一例である。
【００４２】
（第３実施例）
第３実施例の浄水供給装置２では、原水供給管２６に、低圧スイッチ２２と濃度センサ２４の両方が介装されている。そのため、本実施例では、図３のＳ１４において、制御部９０は、低圧スイッチ２２がＯＮされることと、濃度センサ２４が検出する原水の不純物濃度が下限閾値濃度を下回ること、のうちの一方が成立することを監視する。また、図４のＳ２６において、制御部９０は、低圧スイッチ２２がＯＦＦ状態に戻ることと、濃度センサ２４が検出する原水の不純物濃度が上限閾値濃度を下回ること、のうちの一方が成立したか否かを判断する。本実施例の浄水供給装置２による場合も、第１及び第２実施例と同様の作用効果を発揮することができる。
【００４３】
（第４実施例）
図５に、第４実施例の浄水供給装置１０２を示す。図５では、第１〜第３実施例と共通する構成要素を同じ符号で示している。本実施例の浄水供給装置１０２は、本体１０４と容器収容部１０６とが一体に構成された筐体１０３を備える点が第１実施例とは異なる。原水供給管２６及び排水管５０の全体が、筐体１０３内に収容され、外側に露出しない点も第１〜第３実施例とは異なる。
【００４４】
本実施例の容器収容部１０６も、手前側に引出し可能な前扉１０８を有する。ただし、本実施例では、容器収容部１０６内に、原水容器１０とともに、浄水供給装置２の電源であるバッテリ２００が収容されている。そのため、本実施例の浄水供給装置２は、商用電源が確保できない場所でも使用できるという利点がある。
【００４５】
以上、本明細書で開示する技術の具体例を説明したが、これらは例示にすぎず、特許請求の範囲を限定するものではない。特許請求の範囲に記載の技術には以上に例示した具体例を様々に変形、変更したものが含まれる。
【００４６】
（変形例１）第１実施例において、図４のＳ２２でポンプ２０の運転が開始された後、制御部９０は、低圧スイッチ２２がＯＦＦ状態に戻ることを監視してもよい。その場合、制御部９０は、低圧スイッチ２２がＯＦＦ状態に戻った場合に、所定期間が経過したか否かに関わらず、通常運転処理に移行するようにしてもよい。この変形例の構成を、第２及び第３実施例の初期運転処理にも適用してもよい。
【００４７】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４８】
２：浄水供給装置
４：本体
６：容器収容部
８：前扉
１０：原水容器
１２：ＬＥＤランプ
１４：リセットボタン
１６：冷水蛇口
１８：温水蛇口
２０：ポンプ
２２：低圧スイッチ
２４：濃度センサ
２６：原水供給管
３０：フィルタモジュール
３２、３４：前処理モジュール
３６：逆浸透膜モジュール
４０：浄水供給管
５０：排水管
６０：浄水タンク
６２：フロートスイッチ
６４、６６：供給管
７０：冷水タンク
７２：冷却装置
７４：冷却管
７６：冷水供給管
８０：温水タンク
８２：加熱装置
８４：温水供給管
９０：制御部
１０２：浄水供給装置
１０３：筐体
１０４：本体
１０６：容器収容部
１０８：前扉
２００：バッテリ
【図１】
2018065584.tif 000003
【図２】
2018065584.tif 000004
【図３】
2018065584.tif 000005
【図４】
2018065584.tif 000006
【図５】
2018065584.tif 000007